(57)【要約】【課題】光ディスク装置において、レンズホルダに加わる機構的なストレスを低減することにある。【解決手段】ガイド部２１ａ及びフランジ部２１ｂを有するレール部材２１と、ガイド部２１ａをスリット７１に貫通させてフランジ部２１ｂを内部に保持し、各レール部材２１を保持するスリット部材７とを備える。そして、光ディスク装置の停止時には、フランジ部２１ｂがスリット部材７内に保持されてレンズホルダ２を所定位置に保持する。また、光ディスク装置の動作時には、永久磁石６及びコイル３により形成される磁気回路により、レール部材２１がスリット部材７内部に浮いた状態で、レンズホルダ２をフォーカシング、トラッキング及びティルト動作させる。【選択図】　　　図４
2004047031.tif 000002
【特許請求の範囲】
【請求項１】
レンズホルダを支持した状態でフォーカシング及びトラッキング動作を行なう光ディスク装置において、
略直方体状であり、４隅に４個の永久磁石が配置されたレンズホルダと、
各永久磁石に対向するように、前記レンズホルダの周囲に配置された４個のコイルと、
前記レンズホルダの対向する２側面からそれぞれトラッキング方向に伸びて形成されたガイド部と、各ガイド部の先端部から各ガイド部の垂直方向の両側に連続して形成されたフランジ部とを有するレール部材と、
中空の直方体状であり、前記レンズホルダに対向する面にスリットが形成され、前記ガイド部を前記スリットに貫通させて前記フランジ部を内部に保持し、各レール部材を保持するスリット部材と、
前記コイルに接続され、前記磁気回路を駆動する駆動回路とを備え、
前記光ディスク装置の停止時には、前記レール部材が前記スリット部材に保持されて前記レンズホルダを所定位置に保持し、
前記光ディスク装置の動作時には、前記永久磁石及び前記コイルにより形成される磁気回路により、前記レール部材が前記スリット部材内部に浮いた状態で、前記レンズホルダをフォーカシング、トラッキング及びティルト動作させる、
光ディスク装置。
【請求項２】
レンズホルダを支持した状態でフォーカシング及びトラッキング動作を行なう光ディスク装置において、
対物レンズと永久磁石とを有するレンズホルダと、
前記レンズホルダの周囲に配置され、前記レンズホルダの前記永久磁石と共に磁気回路を形成して前記レンズホルダを駆動する複数のコイルと、
前記レンズホルダに設けられる第１保持部材と、
前記光ディスク装置の動作時には、前記磁気回路の磁力により前記第１保持部材が接触することなく移動可能であり、前記光ディスク装置の停止時には、前記第１保持部材を所定位置に保持する第２保持部材と、
前記コイルに接続され、前記磁気回路を駆動する駆動回路と、
を備える光ディスク装置。
【請求項３】
前記駆動回路は、前記レンズホルダにフォーカシング、トラッキング及びティルト動作させるように、前記磁気回路を制御する、
請求項２に記載の光ディスク装置。
【発明の詳細な説明】
【０００１】
【発明の属する技術分野】
本発明は、光ディスク装置、特に、ＣＤやＤＶＤなどの光ディスクを記録及び又は再生する光ディスク装置に関する。
【０００２】
【従来の技術】
（１）図１は、ムービングコイル方式のレンズ駆動機構の従来例である。同図（ａ）はレンズホルダ２が軸擦動方式で支持される例であり、同図（ｂ）はレンズホルダ２が４Ｗｉｒｅ方式で支持される例である。また、同図（ａ）及び（ｂ）の構成共に、２軸（フォーカシング、トラッキング）方向に可動な構成である。このような構成は、例えば、特開平１−２５３８３３号公報、特開平１−２５３８４号公報に記載されている。
【０００３】
同図（ａ）では、レンズホルダ２が軸に挿入されており、レンズホルダ２の周囲には永久磁石（図示せず）が配置されている。このレンズ駆動機構では、レンズホルダ２の複数のコイルと、周囲に配置された永久磁石とが磁気回路を形成する。フォーカシング動作時にはレンズホルダ２を軸方向に移動させ、トラッキング動作時にはレンズホルダ２を軸方向回りに回動させる。
【０００４】
同図（ｂ）では、レンズホルダ２が４本のワイヤ４によりフレーム５に固定されており、レンズホルダ２の周囲には永久磁石（図示せず）が配置されている。この駆動機構では、レンズホルダ２に固定されたコイル３と、周囲に配置された永久磁石とが磁気回路を構成する。フォーカシング及びトラッキング動作時には、フレーム側からワイヤ４を介してレンズホルダ２に電流が供給され、磁気回路による磁力によりレンズホルダ２がフォーカシング方向及びトラッキング方向に駆動される。
（２）図２は、ムービングマグネット方式のレンズ駆動機構の従来例である。また図２の構成は、３軸（フォーカシング、トラッキング、ティルト）方向に可動な構成である。このような構成は、例えば、特開平１０−６４１１１号公報、特開平９−１６１２８８号公報に記載されている。
【０００５】
このレンズ駆動機構では、レンズホルダ２は４本のワイヤ４によりフレーム５に支持されている点では上記４Ｗｉｒｅ方式と同様であるが、レンズホルダ２に永久磁石６が固定され、そのレンズホルダ２の周囲に複数のコイル３が配置されている点が異なる。図２に示すように、レンズホルダ２は、レーザ光をディスク上に集光させるための対物レンズと、４隅に固定された永久磁石とを有している。複数のコイルは、レンズホルダ２の周囲に配置されており、ケーブルにより駆動回路に接続されている（図示せず）。このレンズ駆動機構では、レンズホルダ２に固定された永久磁石６とレンズホルダ２の周囲に配置されたコイル３とが磁気回路を構成する。
【０００６】
フォーカシング、トラッキング及びティルト動作時には、駆動回路からケーブルを介してコイル３に電流が供給され、磁気回路による磁力によりレンズホルダ２がフォーカシング方向及びトラッキング方向に駆動される。
（３）また、レンズ駆動機構のその他の例としては、実開昭６３−４４２２１号公報、実開昭６３−４０８１３号公報に記載されているものがある。これらの公報に記載されているレンズ駆動機構は、レンズホルダに永久磁石が固定されるムービングマグネット方式であるが、レンズホルダが軸に保持され２軸方向に可動な構成である。
【０００７】
【発明が解決しようとする課題】
（１）図１（ａ）及び（ｂ）の構成では、コイルに電流を供給するために最低４本のワイヤ４又はケーブルをレンズホルダ２に固定する必要があり、レンズホルダ２に機構的なストレスが加わる。この機構的なストレスによりレンズホルダ２に歪が生じ、サーボ信号にノイズ成分が加わり、サーボ動作を不安定するおそれがある。
（２）図２の構成では、レンズホルダ２に通電する必要がないが、別途４本のワイヤ４でレンズホルダ２を固定しており、これらのワイヤ４によりレンズホルダ２が機構的なストレスを受ける。
【０００８】
特に、ティルト動作時や、レンズホルダ２の可動量が大きい場合には、ワイヤ４の捻じれが大きくなり、機構的なストレスが深刻であると考えられる。
（３）実開昭６３−４４２２１号公報、実開昭６３−４０８１３号公報に記載されている構成も、レンズホルダ２と軸との機械的な接触があるため、機構的なストレスがレンズホルダ２を歪ませる可能性がある。
【０００９】
本発明の目的は、光ディスク装置において、レンズホルダに加わる機構的なストレスを低減することにある。
【００１０】
【課題を解決するための手段】
第１発明に係る光ディスク装置は、レンズホルダを支持した状態でフォーカシング及びトラッキング動作を行なう光ディスク装置において、レンズホルダと、コイルと、レール部材と、スリット部材と、駆動回路とを備えている。レンズホルダは、略直方体状であり、４隅に４個の永久磁石が配置されている。コイルは、各永久磁石に対向するように、レンズホルダの周囲に配置されている。レール部材は、レンズホルダの対向する２側面からそれぞれトラッキング方向に伸びて形成されたガイド部と、各ガイド部の先端部から各ガイド部の垂直方向の両側に連続して形成されたフランジ部とを有している。スリット部材は、中空の直方体状であり、レンズホルダに対向する面にスリットが形成され、ガイド部をスリットに貫通させてフランジ部を内部に保持し、各レール部材を保持している。駆動回路は、各コイルに接続され、磁気回路を駆動する。
【００１１】
そして、光ディスク装置の停止時には、レール部材がスリット部材に保持されてレンズホルダを所定位置に保持する。また、光ディスク装置の動作時には、永久磁石及びコイルにより形成される磁気回路により、レール部材がスリット部材内部に浮いた状態で、レンズホルダをフォーカシング、トラッキング及びティルト動作させる。
【００１２】
この光ディスク装置では、レール部材をスリット部材に接触させることなく、フォーカシング、トラッキング及びティルト動作させるので、レンズホルダに加わる機構的なストレスを低減できる。
特に、ディスクに偏心や反りがある場合にレンズホルダをティルトさせたり、レンズホルダの可動量が大きい場合にも、ワイヤ等の支持手段で支持されていないので、ワイヤ等の捻じれによる機構的なストレスが加わることもない。
【００１３】
なお、光ディスク装置の停止時には、レール部材のフランジ部により、レンズホルダが所定位置から外れるのを防止できる。例えば、輸送時にレンズホルダが外れるのを防止できる。
第２発明に係る光ディスク装置は、レンズホルダを支持した状態でフォーカシング及びトラッキング動作を行なう光ディスク装置において、レンズホルダと、複数のコイルと、第１保持部材と、第２保持部材と、駆動回路とを備えている。レンズホルダは、対物レンズと永久磁石とを有する。複数のコイルは、レンズホルダの周囲に配置され、レンズホルダの永久磁石と共に磁気回路を形成してレンズホルダを駆動する。第１保持部材は、レンズホルダに設けられる。第２保持部材は、光ディスク装置の動作時には、磁気回路の磁力により第１保持部材が接触することなく移動可能に形成されており、光ディスク装置の停止時には、第１保持部材を所定位置に保持する。駆動回路は、コイルに接続され、磁気回路を駆動する。
【００１４】
この光ディスク装置では、第１保持部材が第２保持部材に接触することなく、フォーカシング、トラッキング動作するので、レンズホルダに加わる機構的なストレスを低減できる。
なお、光ディスク装置の停止時には第１及び第２保持部材によってレンズホルダが保持されるので、レンズホルダが所定位置から外れるのを防止できる。例えば、輸送時にレンズホルダが外れるのを防止できる。
【００１５】
第３発明に係る光ディスク装置は、第２発明に係る装置において、駆動回路は、レンズホルダにフォーカシング、トラッキング及びティルト動作させるように、磁気回路を駆動する。
特に、ディスクに偏心や反りがある場合にレンズホルダをティルトさせたり、レンズホルダの可動量が大きい場合にも、ワイヤ等の支持手段で支持されていないので、ワイヤ等の捻じれによる機構的なストレスが加わることもない。
【００１６】
【発明の実施の形態】
（１）構成
図３及び図４は、本発明の一実施形態例に係るレンズ駆動機構の斜視図である。図３は、レンズホルダ保持機構（レール部材２１及びスリット部材７）を省略した斜視図である。図４は、コイル３を省略した斜視図である。ここでは図面の複雑化防止のため、図３では、レンズホルダ保持機構を省略し、コイル３とレンズホルダ２との関係を記載し、図４では、コイル３を省略し、レンズホルダ保持機構とレンズホルダ２との関係を記載した。
【００１７】
このレンズ駆動機構は、ムービングマグネット方式であり、３軸（フォーカシング、トラッキング及びティルト）方向に可動なものである。
このレンズ駆動機構は、図３及び図４に示すように、レンズホルダ２と、コイル３と、レール部材２１と、スリット部材７とを主に備えている。
レンズホルダ２は、略直方体状の部材であり、その上面の略中央には対物レンズ１が固定されている。またレンズホルダ２は、４隅においてＺ軸方向に上面から下面にかけて４個の永久磁石が配置されている。
【００１８】
コイル３は、レンズホルダ２の４個の永久磁石６の各々に対向する合計４個のボビンに各々２個配置されている。各コイル３にはケーブルが接続されており、各ケーブルは駆動回路（図示せず）に接続されている。各コイル３は、永久磁石６と共に磁気回路を形成し、レンズホルダ２をフォーカシング、トラッキング及びティルト動作させる。
【００１９】
レール部材２１は、ガイド部２１ａとフランジ部２１ｂとを有しており、断面視略Ｔ字状に形成されている。ガイド部２１ａは、レンズホルダ２の対向する側面からＹ軸方向に伸びて形成されている。ガイド部２１ａは、後述するスリット部材７のスリット７１内に配置され、レンズホルダ２の上下方向の移動を規制する。また、ガイド部２１ａは、レンズホルダ２がトラッキング動作する場合の移動範囲よりも長く形成されている。フランジ部２１ｂは、ガイド部２１ａの先端から上下方向にＺ軸に沿って連続して形成されている。フランジ部２１ｂは、後述するスリット部材７内に配置され、レンズホルダ２が外れないように横方向の移動を規制している。
【００２０】
スリット部材７は、レンズホルダ２の両側に各１つ配置されている。スリット部材７は、断面視略矩形の中空の部材であり、水平方向に配置される上板７ａ及び下板７ｂと、上板７ａと下板７ｂのレンズホルダ２側の一端に連続して形成される側板７ｃとを有している。側板７ｃの上下方向の略中央には、Ｘ軸方向に沿って側板７ｃの全体に渡って形成されたスリット７１が形成されている。
【００２１】
スリット７１の幅は、フォーカシング動作時のレール部材２１の移動範囲よりも大きく、レンズホルダ２がティルト動作する場合にもガイド部２１ａが側板７ｃに接触しない大きさに形成されている。スリット７１の長さは、トラッキング動作時のレール部材２１の移動範囲よりも大きく形成されている。また、図示しないが、スリット部材７は、前後において上板７ａ、下板７ｂ及び側板７ｃに連続して形成される前板及び後板を有している。前板及び後板は、レール部材２１がスリット部材７から前又は後に抜け出るのを防止している。
【００２２】
（２）動作
光ディスク装置の停止時には、レール部材２１のフランジ部２１ｂにより、レール部材２１がスリット部材７から抜け出るのを防止する。これにより、レンズホルダ２が所定位置（スリット部材７の間）から外れるのを防止する。
光ディスク装置の記録及び再生時には、駆動回路からコイル３に電流が供給され、コイル３及び永久磁石６からなる磁気回路による磁力により、レール部材２１のガイド部２１ａがスリット部材７のスリット７１内に浮き上がる。この状態で、駆動回路からの電流を制御し、フォーカシング、トラッキング及びティルト動作を行なう。
【００２３】
（３）まとめ
この光ディスク装置では、レール部材２１をスリット部材７に接触させることなく、フォーカシング、トラッキング及びティルト動作させるので、レンズホルダ２に加わる機構的なストレスを低減できる。これにより、サーボ信号に加わるノイズ成分を低減し、サーボ動作の安定性が向上し、ノイズ成分の少ない信号の再生及び記録ができる。
【００２４】
特に、ディスクの偏心や反りのためにティルト動作が必要な場合や、レンズホルダの可動量が大きい場合にも、ワイヤ等の支持手段で支持されていないので、ワイヤ等の捻じれによる機構的なストレスがなく、精度良くティルト動作をすることができる。従って、３軸方向可動のレンズ駆動機構においてサーボ動作の精度を向上し得る。
【００２５】
なお、光ディスク装置の停止時には、レール部材２１のフランジ部２１ａがスリット部材７内に保持されることにより、レンズホルダ２が所定位置から外れるのを防止できる。例えば、輸送時にレンズホルダ２が外れるのを防止できる。
（４）他の実施形態例
上記では、フォーカシング及びトラッキング方向に加えてティルト方向に駆動する３軸方向に可動な構成を示したが、２軸（フォーカシング及びトラッキング方向）のみに動作する構成でも、レンズホルダ２に加わる機構的なストレスを低減する効果が得られる。
【００２６】
従って、本実施形態例で示したレンズホルダ２の保持機構は、２軸及び３軸方向に可動なレンズ駆動機構の両方に適用することができる。
【００２７】
【発明の効果】
本発明によれば、光ディスク装置において、レンズホルダに加わる機構的なストレスを低減できる。
【図面の簡単な説明】
【図１】ムービングコイル方式のレンズ駆動機構の従来例。
【図２】ムービングマグネット方式のレンズ駆動機構の従来例。
【図３】本実施形態例に係る光ディスク装置のレンズ駆動機構（その１）。
【図４】本実施形態例に係る光ディスク装置のレンズ駆動機構（その２）
【符号の説明】
２　　レンズホルダ
２１　レール部材
２１ａ　ガイド部
２１ｂ　フランジ部
３　　コイル
７　　スリット部材
７１　スリット
【図１】
2004047031.tif 000003
【図２】
2004047031.tif 000004
【図３】
2004047031.tif 000005
【図４】
2004047031.tif 000006